(57)【要約】  【課題】真空断熱材全体が複数個に密封された部屋からなっていると、芯材の占める被覆率が低下し、断熱性能が低下してしまう問題があった。  【解決手段】真空断熱材１はラミネートフィルム２の内部に複数個に分割した芯材５と、芯材６を備え、面状のヒーター等によりそれぞれ個別に真空密封されたものであり、その複数個に分割した芯材５を住宅等と接合する接合部７に配置する。接合部７において断熱パネル６を住宅等と釘等により接合するので、数個の真空が常圧に戻ってしまっても他の真空がリークすることがないので断熱性能に大きな影響がなく、またその他の部分に大きい芯材を配置しているので、芯材被覆率の低下による断熱性能を抑えることができる。また、容易に真空断熱材を壁材に適用することが可能となる。【選択図】図１
2006077393.tif 000002
【特許請求の範囲】
【請求項１】
ラミネートフィルムに芯材を入れ真空密封した真空断熱材をパネルに組み込んだ断熱パネルにおいて、前記真空断熱材と前記パネルを接合する接合部にのみ複数個に分割した芯材を配置した断熱パネル。
【請求項２】
ラミネートフィルムに芯材を入れ真空密封した真空断熱材をパネルに組み込んだ断熱パネルにおいて、前記真空断熱材の周辺部にのみ複数個に分割した芯材を配置した断熱パネル。
【請求項３】
ラミネートフィルムに芯材を入れ真空密封した真空断熱材をパネルに組み込んだ断熱パネルにおいて、前記真空断熱材の角部にのみ複数個に分割した芯材を配置した断熱パネル。
【請求項４】
ラミネートフィルムに芯材を入れ真空密封した真空断熱材をパネルに組み込んだ断熱パネルにおいて、前記真空断熱材の対面する２辺にのみ複数個に分割した芯材を配置した断熱パネル。
【請求項５】
分割した芯材と分割していない芯材上のパネルの外観を変えた請求項１から請求項４のいずれか一項に記載の断熱パネル。
【請求項６】
請求項１から請求項５のいずれか一項に記載の断熱パネルを適用した搬送用箱。
【発明の詳細な説明】
【技術分野】
【０００１】
本発明は、建築物の内外の壁に適用する真空断熱材を適用した断熱パネルに関するものである。また、断熱パネルを適用した物流用の搬送用箱に関するものである。
【背景技術】
【０００２】
従来の断熱パネルに使用されている真空断熱材は、複数個の芯材が一体に真空密封されている（例えば、特許文献１参照）。
【０００３】
図９は、特許文献１に記載された従来の真空断熱材の概略図である。図７に示すように、従来の真空断熱材１は、複数の芯材３がラミネートフィルム２の間に個別に真空密封されている。これにより、数個の芯材３の真空がリークしても、そのリークは他の個所に及ばないため、耐久性が向上し、断熱性能の低下を抑えることができる。また真空断熱材１を釘等の安価な方法により固定することができる。
【特許文献１】特開平７−１３９６９０号公報
【発明の開示】
【発明が解決しようとする課題】
【０００４】
しかしながら、上記従来の構成では、真空断熱材１全体が複数の芯材３を真空密封して形成されているので、芯材の占める被覆率が低下し、断熱性能が低下してしまう問題があった。
【０００５】
本発明は、上記従来の課題を解決するもので、芯材の被覆率の低下を抑えて、断熱性能に優れ、また施工性にも優れた真空断熱材を適用した断熱パネルを提供することを目的とする。
【課題を解決するための手段】
【０００６】
上記従来の課題を解決するために、本発明の真空断熱材は、真空断熱材の周辺部に複数に分割した芯材を配置して真空密封したものである。
【０００７】
これによって、真空断熱材の周辺部の数個の小さい芯材の真空密封が常圧に戻っても断熱性能の低下を抑えられるので釘等による接合が可能であり、かつ真空断熱材全体の芯材の被覆率も高くできる。
【発明の効果】
【０００８】
本発明の断熱パネルは、断熱性能が高く、また釘等での接合による断熱性能の低下をわずか抑えられるので、容易に壁材に適用することができる。
【発明を実施するための最良の形態】
【０００９】
請求項１に記載の発明は、ラミネートフィルムに芯材を入れ真空密封した真空断熱材をパネルに組み込んだ断熱パネルにおいて、前記真空断熱材と前記パネルを接合する接合部にのみ複数個に分割した芯材を配置した断熱パネルであり、真空断熱材を断熱パネルに接合する接合部に複数個に分割した芯材を配置しているので、釘等による接合で数個の真空がリークしてしまっても他の真空がリークすることがないので断熱性能に大きな影響がなく、またその他の部分は複数個に分割していない芯材を配置しているので、芯材被覆率の低下による断熱性能を抑えることができ、容易に真空断熱材を断熱パネルに適用することが可能となる。
【００１０】
請求項２に記載の発明は、ラミネートフィルムに芯材を入れ真空密封した真空断熱材をパネルに組み込んだ断熱パネルにおいて、前記真空断熱材の周辺部にのみ複数個に分割した芯材を配置した断熱パネルであり、真空断熱材の周辺部に複数個に分割した芯材を配置しているので、釘等による接合で数個の真空がリークしてしまっても他の真空がリークすることがないので断熱性能に大きな影響がなく、またその他の部分は複数個に分割していない芯材を配置しているので、芯材被覆率の低下による断熱性能を抑えることができ、容易に真空断熱材を断熱パネルに適用することが可能となる。
【００１１】
また、周辺部に複数個に分割した芯材があるので、釘等で打ってもよい個所が容易にわかり、現場で接合するのが容易になる。
【００１２】
請求項３に記載の発明は、ラミネートフィルムに芯材を入れ真空密封した真空断熱材をパネルに組み込んだ断熱パネルにおいて、前記真空断熱材の角部にのみ複数個に分割した芯材を配置した断熱パネルであり、真空断熱材の周辺部に複数個に分割した芯材を配置しているので、釘等による接合で数個の真空がリークしてしまっても他の真空がリークすることがないので断熱性能に大きな影響がなく、またその他の部分は複数個に分割していない芯材を配置しているので、芯材被覆率の低下による断熱性能を抑えることができ、容易に真空断熱材を断熱パネルに適用することが可能となる。
【００１３】
また、角部に複数個に分割した芯材があるので、釘等で打てる個所が容易にわかり、現場で接合するのが容易になる。
【００１４】
請求項４に記載の発明は、ラミネートフィルムに芯材を入れ真空密封した真空断熱材をパネルに組み込んだ断熱パネルにおいて、前記真空断熱材の対面する２辺にのみ複数個に分割した芯材を配置した断熱パネルであり、真空断熱材の周辺部に複数個に分割した芯材を配置しているので、釘等による接合で数個の真空がリークしてしまっても他の真空がリークすることがないので断熱性能に大きな影響がなく、またその他の部分は複数個に分割していない芯材を配置しているので、芯材被覆率の低下による断熱性能を抑えることができ、容易に真空断熱材を断熱パネルに適用することが可能となる。
【００１５】
また、対面する２辺にのみ複数個に分割した芯材があるので、釘等で打てる個所が容易にわかり、現場で接合するのが容易になる。また、対面する２辺で接合することができるので、しっかり接合できる。
【００１６】
請求項５に記載の発明は、分割した芯材と分割していない芯材上のパネルの外観を変えた請求項１から請求項４のいずれか一項に記載の断熱パネルであり、釘やネジ等により穴をあけてはならない個所がわかるので、打ち間違いをなくすことができ、現場で断熱パネルを接合するのが容易になる。
【００１７】
請求項６に記載の発明は、請求項１から請求項５のいずれか一項に記載の断熱パネルを適用した搬送用箱であり、真空断熱材を適用しているので高い断熱性能を有し、断熱パネルを薄くできるので、内容積を広くとることができる。また、箱内への熱侵入が抑制されるので、室温設備の負荷が小さくなり省エネルギーを図れる。
【００１８】
以下、本発明の実施の形態について、図面を参照しながら説明する。
【００１９】
（実施の形態１）
図１は、本発明の実施の形態１における断熱パネルの正面図である。図２は、本発明の実施の形態１における断熱パネルの側面図である。図３は、本発明の実施の形態１における真空断熱材１の断面図である。
【００２０】
図１、図２、図３において、断熱パネル６は、真空断熱材１を備え、真空断熱材１はラミネートフィルム２の内部に複数個に分割した芯材５と、芯材３を備え、真空引きして、それぞれ個別に密封したものである。
【００２１】
複数個に分割した芯材５は、住宅等に接合するときの接合部７に配置される。真空断熱材１は接着剤等によりパネル４と接合し、断熱パネル６ができる。真空断熱材１は、面状のヒーターでラミネートフィルム２を溶着することにより、多数の形状の違った芯材を同時に真空密封することができる。
【００２２】
以上のように構成された断熱パネルについて、以下その作用を説明する。
【００２３】
断熱パネル６を住宅等の建材や壁材として、複数個に分割した芯材５が配置された接合部７において釘やネジによって壁材として住宅に接合される。また、パネル４と真空断熱材１を接合する前に住宅の壁材として組み込み、一括して釘、ネジ等により接合してもよい。また、断熱パネル６として住宅に入れるのではなく、既存の住宅の壁材に真空断熱材１のみを接合して使用することもできる。
【００２４】
以上のように、本実施の形態において、真空断熱材１はラミネートフィルム２の内部に複数個に分割した芯材５と、その他の部分に芯材３を備え、面状のヒーター等によりそれぞれ個別に真空密封されたものであり、住宅等と接合される接合部７に複数個に分割した芯材５が配置されているので、釘等の接合により数個の真空が常圧に戻ってしまっても他の真空がリークすることがないので断熱性能に大きな影響がなく、またその他の部分の芯材は複数個に分割した芯材５ほど分割されていないので、芯材被覆率の低下による断熱性能の低下を抑えることができる。
【００２５】
また、断熱パネル６を釘等により安価な方法で容易に壁材に適用することが可能となる。なお、複数個に分割した芯材５の大きさを小さくすると、ヒートリークが大きくなり断熱性能が低下するが、ラミネートフィルムの金属層を蒸着層にすることで、ガスバリア性の低下を抑えつつ、ヒートリークを小さくできるので、断熱性能の低下を抑えることができる。
【００２６】
また、複数個に分割された芯材５が配置された個所の上に位置するパネル４の外観の色を変える、模様を変える等することにより、釘打ちできる個所が明確にわかり、誤った個所に釘打ちするのを抑えることができる。
【００２７】
また、図１のように２辺にのみ複数個に分割した芯材５を配置すると、釘等で打てる個所が容易にわかり、接合し易くなる。また、真空断熱材の2辺だけにあるので芯材被覆率が高く、断熱性能が高い。また、対面する２辺で接合することができるので、しっかり接合でき、剥れ難い。
【００２８】
（実施の形態２）
図４は、本発明の実施の形態２における断熱パネルの正面図である。図５は、本発明の実施の形態２における断熱パネルの側面図である。
【００２９】
図４、図５において、断熱パネル６は、パネル４と真空断熱材１を接合したものであり、真空断熱材１はラミネートフィルム２の内部に、複数個に分割した芯材５を周辺部に配置し、その他の部分に芯材３を配置し、真空引きして、それぞれ個別に密封したものである。真空断熱材１は接着剤等によりパネル４と接合される。
【００３０】
真空断熱材１は、面状のヒーターでラミネートフィルム２を溶着することにより、多数の形状の違った芯材を同時に真空密封することができる。ここで、接着剤により真空断熱材１とパネル４を接合するとしたが、複数個に分割された芯材５が配置された個所において釘、ネジ等で接合してもよい。
【００３１】
以上のように構成された断熱パネルについて、以下その作用を説明する。
【００３２】
断熱パネル６を住宅等の建材や壁材として、複数個に分割した芯材５を配置した周辺部において釘やネジによって壁材として住宅に接合される。また、パネル４と真空断熱材１を接合する前に住宅の壁材として組み込み、一括して釘、ネジ等により接合してもよい。また、断熱パネル６として住宅に入れるのではなく、既存の住宅の壁材に真空断熱材１のみを接合して使用することもできる。
【００３３】
以上のように、本実施の形態において、真空断熱材１はラミネートフィルム２の内部に複数個に分割した芯材５を周辺部に備え、その他の部分に芯材３を備え、面状のヒーター等によりそれぞれ個別に真空密封されたものであり、その複数個に分割した芯材５が多数配置された周辺部において、住宅の壁材として釘等により接合するので、釘等の接合において数個の真空が常圧に戻ってしまっても他の真空がリークすることがないので断熱性能に大きな影響がなく、またその他の部分に大きい芯材を配置しているので、芯材被覆率の低下による断熱性能の低下を抑えることができる。
【００３４】
また、周辺部に複数個に分割した芯材があるので、釘等で打てる個所が容易にわかり、接合し易くなる。また、容易に真空断熱材を壁材に適用することが可能となる。なお、複数個に分割した芯材５の大きさを小さくすると、ヒートリークが大きくなり断熱性能が低下するが、ラミネートフィルムの金属層を蒸着層にすることで、ガスバリア性の低下を抑えつつ、ヒートリークを小さくできるので、断熱性能の低下を抑えることができる。
【００３５】
（実施の形態３）
図６は、本発明の実施の形態３における断熱パネルの正面図である。図７は、本発明の実施の形態３における断熱パネルの側面図である。
【００３６】
図６、図７は、実施の形態２における図４の真空断熱材１の複数個に分割された芯材５の集まりを、角部にのみ配置したものである。
【００３７】
以上のように構成された断熱パネルについて、以下その作用を説明する。
【００３８】
断熱パネル６を住宅等の建材や壁材として、複数個に分割した芯材５を配置した角部において釘やネジによって壁材として住宅に接合される。また、パネル４と真空断熱材１を接合する前に住宅の壁材として組み込み、一括して釘、ネジ等により接合してもよい。また、断熱パネル６として住宅に入れるのではなく、既存の住宅の壁材に真空断熱材１のみを接合して使用することもできる。
【００３９】
以上のように、本実施の形態において、実施の形態１における図１の真空断熱材１の複数個に分割された芯材５の集まりを、角部に配置したものである。よって、実施の形態１の効果に加えて、また、角部に複数個に分割した芯材があるので、釘等で打てる個所が容易にわかり、接合し易くなる。また、角部だけであるので芯材被覆率が高く、断熱性能が高い。
【００４０】
（実施の形態４）
図８は、本発明の実施の形態４における断熱パネルを適用した搬送用箱８の断面図である。
【００４１】
図８において、実施の形態１から３の断熱パネル６を適用した箱であり、箱の内側もしくは外側に適用、もしくは断熱パネルそのもので箱を形成したものである。
【００４２】
よって、断熱パネルが薄いので、内容積を広くとることができる。また、真空断熱材の接合が容易であるので、施工性に優れ、真空断熱材を必要に応じて取り外しすることができる。ここでの搬送用箱とは、保冷ボックスやコンテナ等を指す。
【産業上の利用可能性】
【００４３】
以上のように、本発明にかかる真空断熱材は、真空度の低下による断熱性能の低下を抑制することを可能し、釘や縫製等による接合も容易になったので、鞄、服、靴等の用途にも適用できる。
【図面の簡単な説明】
【００４４】
【図１】本発明の実施の形態１における断熱パネルの正面図
【図２】本発明の実施の形態１における断熱パネルの側面図
【図３】本発明の実施の形態１における断熱パネルに使用した真空断熱材の断面図
【図４】本発明の実施の形態２における断熱パネルの正面図
【図５】本発明の実施の形態２における断熱パネルの側面図
【図６】本発明の実施の形態３における断熱パネルの正面図
【図７】本発明の実施の形態３における断熱パネルの側面図
【図８】本発明の実施の形態４における搬送用箱の断面図
【図９】従来の断熱パネルに使用された真空断熱材の概略図
【符号の説明】
【００４５】
１      真空断熱材
２      ラミネートフィルム
４      パネル
５      複数個に分割した芯材
６      断熱パネル
７      接合部
８      搬送用箱
【図１】
2006077393.tif 000003
【図２】
2006077393.tif 000004
【図３】
2006077393.tif 000005
【図４】
2006077393.tif 000006
【図５】
2006077393.tif 000007
【図６】
2006077393.tif 000008
【図７】
2006077393.tif 000009
【図８】
2006077393.tif 000010
【図９】
2006077393.tif 000011